(57)【要約】【課題】不要な電磁波の輻射を低減するとともに、組み立て時の作業性がよいプラズマディスプレイ装置を提供する。【解決手段】プラズマディスプレイパネルと、プラズマディスプレイパネルの前面側に配置された電磁波遮断フィルタと、プラズマディスプレイパネルの背面側に配置された金属製のバックケース部３２とを備えたプラズマディスプレイ装置であって、電磁波遮断フィルタとバックケース部３２とを電気的に接続する金属部材４０を設け、かつバックケース部３２と金属部材４０とを電気的に接続する部分においてバックケース部３２と金属部材４０の少なくとも一方に、バックケース部３２または金属部材４０の少なくとも一方に形成された絶縁皮膜を破って電気的に接触する突起部５２を設けたことを特徴とする。【選択図】図４
2007187878.tif 000002
【特許請求の範囲】
【請求項１】
プラズマディスプレイパネルと、前記プラズマディスプレイパネルの前面側に配置された電磁波遮断フィルタと、前記プラズマディスプレイパネルの背面側に配置された金属製のバックケース部とを備えたプラズマディスプレイ装置であって、
前記電磁波遮断フィルタと前記バックケース部とを電気的に接続する金属部材を設け、かつ前記バックケース部と前記金属部材とを電気的に接続する部分において、前記バックケース部と前記金属部材の少なくとも一方に、前記バックケース部または前記金属部材の少なくとも一方に形成された絶縁皮膜を破って電気的に接触する突起部を設けたことを特徴とするプラズマディスプレイ装置。
【請求項２】
前記突起部を、前記バックケース部または前記金属部材に設けられた傾斜部に当接するように設けたことを特徴とする請求項１に記載のプラズマディスプレイ装置。
【請求項３】
前記突起部を複数設け、各々の突起部が当接する傾斜部の傾斜する方向を異ならせたことを特徴とする請求項２に記載のプラズマディスプレイ装置。
【請求項４】
前記電磁波遮断フィルタはバックケース部とともに筐体を構成するフロントケース部に設けられ、そのフロントケース部の内側に金属部材を配設したことを特徴とする請求項１に記載のプラズマディスプレイ装置。
【発明の詳細な説明】
【技術分野】
【０００１】
本発明は、プラズマディスプレイ装置に関し、特に不要な電磁波の輻射が外部に漏れることを抑制したプラズマディスプレイ装置に関する。
【背景技術】
【０００２】
プラズマディスプレイ装置は、プラズマディスプレイパネル（以下、「パネル」と略記する）とそれを駆動する回路が配置された回路基板とを備える。パネルの駆動回路は、デジタル信号処理回路を含むため電磁波を発生しやすく、パネル自体も電磁波を発生する。
【０００３】
プラズマディスプレイ装置から電磁波が漏れ出すと、他の電子機器などに悪影響を与える恐れがあるために、ＶＣＣＩ（情報処理装置等電波障害自主規制協議会）は３０ＭＨｚから１ＧＨｚまでの周波数範囲で、妨害を与える電磁波の電界強度について自主規制の許容値を定めている。このような自主規制を遵守して、不要な電磁波が漏れないようにするために、プラズマディスプレイ装置はパネルやその駆動回路などの電磁波の発生源をシールドするための筐体に納めている。
【０００４】
そのようなシールドするための筐体は、電磁波遮断フィルタを備えた前面ケース部や金属製の背面ケース部などから構成される。電磁波遮断フィルタはパネルの前面に配置され、画像表示を可能にするために透明であって、金属メッシュ層などによってプラズマディスプレイ装置の前面側に輻射される電磁波を低減する役割を果たす。また、金属製の背面ケース部は、背面側への不要輻射を低減する役割を果たす。そして、それらの部材をねじ締めなどによって固定し、電磁波のシールド効果を得ていた。しかし、それらの部材を接合した隙間などから、不要な電磁波が漏れ出す恐れがあった。
【０００５】
このような課題を解決するために、金属製の背面ケース部のねじ締め部に、短冊状に細かく分割されて形成された金属製の弾性体である櫛状板バネを用いる方法が開示されている（例えば、特許文献１参照）。
【特許文献１】特開２００５−７２５１７号公報
【発明の開示】
【発明が解決しようとする課題】
【０００６】
このように、電磁波を輻射するパネルなどを筐体に納めて電磁波の漏洩を抑制するためには、電磁波のシールド効果を高めるためにプラズマディスプレイ装置の全体を金属製の導体や電磁波遮断フィルタなどで覆う必要がある。そしてシールドするための筐体を構成する部材のそれぞれが電気的に確実に接続されることにより、シールド効果は良好に保たれる。
【０００７】
しかしながら、上記従来のプラズマディスプレイ装置においては、短冊状に細かく分割されて形成された金属製の弾性体である櫛状板バネを、金属製の背面ケース部とは別の部品で構成して嵌め込むために、塗装や亜鉛溶融メッキなどの絶縁皮膜がシールドを構成する部材に施されていると絶縁皮膜によって部材間の電気的接続が阻害されて、シールド効果が保てないという課題を有していた。
【０００８】
本発明は、このような課題を解決するものであり、絶縁皮膜の施された部材でシールドするための筐体を構成する場合にも、不要な電磁波の漏洩を低減することのできるプラズマディスプレイ装置を提供することを目的とする。
【課題を解決するための手段】
【０００９】
上記課題を解決するために本発明のプラズマディスプレイ装置は、パネルと、パネルの前面側に配置された電磁波遮断フィルタと、パネルの背面側に配置された金属製のバックケース部とを備えたプラズマディスプレイ装置であって、電磁波遮断フィルタとバックケース部とを電気的に接続する金属部材を設け、かつバックケース部と金属部材とを電気的に接続する部分において、バックケース部と金属部材の少なくとも一方に、バックケース部または金属部材の少なくとも一方に形成された絶縁皮膜を破って電気的に接触する突起部を設けたことを特徴とする。
【００１０】
このような構成により、突起部により絶縁皮膜が剥がされるので、金属部材とバックケース部とが絶縁皮膜の剥離された部分で電気的に確実に接触すなわち接続するので、不要な電磁波の漏洩を低減できるという効果が得られる。
【００１１】
さらに、本発明のプラズマディスプレイ装置の突起部を、バックケース部または金属部材に設けられた傾斜部に当接するように設けてもよい。このような構成により、バックケース部を金属部材に取り付ける時に突起部には傾斜部に沿って絶縁皮膜を剪断する圧力が加わるので、突起部と傾斜部との絶縁皮膜を確実に剥離させることができて金属部材とバックケース部とが電気的に接続し、不要な電磁波の漏洩を低減できるという効果が得られる。
【００１２】
さらに、本発明のプラズマディスプレイ装置は、突起部を複数設け、各々の突起部が当接する傾斜部の傾斜する方向を異ならせたように構成してもよい。このような構成により、突起部はバックケース部あるいは金属部材に対して異なる方向に傾斜する傾斜部にそれぞれ当接されるので、バックケース部を金属部材に取り付ける際の圧力が複数の突起部に均一に印加され、金属部材とバックケース部との相対的な位置ずれを生じることなく絶縁皮膜の剥離を確実に行うことができる。
【００１３】
さらに、本発明のプラズマディスプレイ装置の電磁波遮断フィルタはバックケース部とともに筐体を構成するフロントケース部に設けられ、そのフロントケース部の内側に金属部材を配設してもよい。このような構成により、電磁波遮断フィルタと金属部材とバックケース部とから不要な電磁波をシールドするためのシールド筐体が構成され、不要な電磁波の漏洩を低減できるという効果が得られる。
【発明の効果】
【００１４】
本発明によれば、不要な電磁波の漏洩を低減することのできるプラズマディスプレイ装置を提供することができる。
【発明を実施するための最良の形態】
【００１５】
以下、本発明の実施の形態について、図面を用いて詳細に説明する。
【００１６】
（第１の実施の形態）
図１は本発明の第１の実施の形態におけるプラズマディスプレイ装置のパネル１の分解斜視図である。パネル１は、対向配置された前面基板２と背面基板３との間に複数の放電セルが形成されている。前面基板２上には、誘電体層６および保護層７で覆われた走査電極１６と維持電極１７とからなる表示電極対１８が平行して複数配列されている。走査電極１６は可視光を透過する透明電極１２と電極の抵抗を低くする役割を果たすバス電極１３とから構成される。同様に維持電極１７も透明電極１４とバス電極１５とから構成される。
【００１７】
背面基板３上には、表示電極対１８に直交する方向に下地誘電体層１０に覆われた複数のデータ電極１１が互いに平行して配列されている。隣り合うデータ電極１１の間には、放電空間を区画するための隔壁８が設けられている。そして下地誘電体層１０上や隔壁８の側面には、蛍光体層９が形成されている。放電セルには、放電によって紫外線を放射するガスとして例えばネオンやキセノンなどが封入されている。そして、放電セル内での放電により発生する紫外線によって蛍光体層９が励起され、可視光を発生し映像を表示する。
【００１８】
パネル１を駆動するには、１フィールド期間を複数のサブフィールドに分割する方法を用いる。各サブフィールドは、それぞれ初期化期間と書き込み期間と維持期間とから構成されている。初期化期間では、放電セルの初期化放電を行い、引き続いて行われる書き込み期間に必要な壁電荷を形成する。書き込み期間では、走査電極１６とデータ電極１１とに書き込みパルスを印加して放電させるべき放電セルに選択的に壁電荷を形成する。続いて維持期間では、走査電極１６と維持電極１７との間に維持パルスを印加して放電セルを放電させ発光させる。
【００１９】
維持期間では、表示される画像により異なるが、平均的には表示電極対１８全体で約２００Ａｐ−ｐの電流が流れる。また維持期間の放電の繰り返し周波数は、約２００ｋＨｚから２５０ｋＨｚ程度に設計されている。したがって、このようなパネル１の駆動に伴って、前面基板２および背面基板３から、強い電磁波が輻射している。
【００２０】
図２は同プラズマディスプレイ装置の筐体の構成を示す分解斜視図である。プラズマディスプレイ装置の筐体は、フロントケース部３０とバックケース部３２とから構成されている。筐体内には、パネル１と、シャーシ部材３１などが収納されている。アルミニウム製のシャーシ部材３１の前面には、熱伝導シート３５を介してパネル１が接着されている。また、シャーシ部材３１の後面には、パネル１を駆動するための複数の回路基板３６が取り付けられている。回路基板３６は複数のフレキシブルプリント配線板（図示せず）を用いて、パネル１に接続されている。そして回路基板３６には、パネル１を駆動するためのＣＭＯＳ−ＬＳＩチップなどからなる信号処理回路が設けられている。
【００２１】
この回路基板３６に設けられた信号処理回路はデジタル回路で構成されており、高い周波数のデジタルクロックによって動作するために、約２００ＭＨｚから１ＧＨｚにわたってデジタルクロックの高調波成分を生じやすい。このようにパネル１を駆動するために高速のデジタル信号処理を行うので、回路基板３６から不要な電磁波が輻射している。
【００２２】
図３は同プラズマディスプレイ装置の筐体の構成を示す要部断面図である。フロントケース部３０の前面には、ガラスや金属メッシュ層などからなる電磁波遮断フィルタ３３が設けられている。電磁波遮断フィルタ３３は一定範囲の可視光を吸収してコントラスト改善を行うとともに、パネル１などによって発生し、輻射する電磁波を吸収する遮断フィルタの役割を果たす。このためプラズマディスプレイ装置の前面側への不要な電磁波の輻射は、電磁波遮断フィルタ３３によって低減されている。
【００２３】
フロントケース部３０に電磁波遮断フィルタ３３を固定する金属部材４０には、電磁波遮断フィルタ３３を固定する板バネ構造部４１とバックケース部３２を取り付けるための穴５０とが形成されている。そして、金属部材４０はフロントケース部３０の内側にパネル１の側面を覆うように設けられ、金属部材４０と電磁波遮断フィルタ３３とは、板バネ構造部４１により電気的に接続されており、これによりプラズマディスプレイ装置の側面側への電磁波の不要な輻射は、低減されている。
【００２４】
また金属製のバックケース部３２は、シャーシ部材３１にネジ止めされてプラズマディスプレイ装置の背面側に取り付けられ、これによりプラズマディスプレイ装置の背面側への不要な電磁波の輻射が低減されている。このバックケース部３２の外周部には、シャーシ部材３１にバックケース部３２を取り付けるための複数の穴３７が配置されている。遮断すべき電磁波の最高周波数は１ＧＨｚであるから、図２に示す隣り合う穴３７の間隔ｄ１は、遮断すべき電磁波の波長の半分である約１５ｃｍに設計されている。このように、バックケース部３２の外周部には、約１５ｃｍ毎に穴３７を形成して、シャーシ部材３１に金属部材４０とともに、バックケース部３２をネジ止めしている。
【００２５】
さらに、シャーシ部材３１には、金属部材４０とバックケース部３２とを取り付けるための複数の取り付け部４５が設けられている。取り付け部４５は、複数のアルミニウム製のボス部４３にネジ穴を設けて構成され、シャーシ部材３１に複数配置されている。ボス部４３に備わるネジ穴に、金属部材４０とバックケース部３２とを挟んでネジ４４が締め付けられることにより、シャーシ部材３１に金属部材４０とバックケース部３２とが固定されている。このようにして金属部材４０とバックケース部３２とを固定する取り付け部４５においては、ネジ４４を締め付けることにより、金属部材４０とバックケース部３２とが電気的に接続され、これらの電磁波遮断フィルタ３３と金属部材４０とバックケース部３２とから不要な電磁波をシールドするためのシールド筐体が構成されている。また、シャーシ部材３１の後面には、複数のボス部４２に複数の回路基板３６が取り付けられている。
【００２６】
しかしながら、金属部材４０とバックケース部３２とが金属製の部材であっても、塗装や亜鉛溶融メッキなどの絶縁皮膜がシールドを構成する部材に施されていると、絶縁皮膜によって導電性が阻害されて金属部材４０とバックケース部３２との電気的接続が不確実となり、シールド効果が不十分となる。
【００２７】
図４（ａ）は同プラズマディスプレイ装置の取り付け部４５の周辺の詳細を示す断面図である。上記したように、取り付け部４５は、シャーシ部材３１に配置されたボス部４３とボス部４３に備わるネジ穴により構成されている。ボス部４３のネジ穴に金属部材４０の穴５０およびバックケース部３２の穴３７を通してネジ４４が締め付けられることにより、シャーシ部材３１に金属部材４０およびバックケース部３２が固定される。そして、金属部材４０とバックケース部３２とが電気的に接続される。
【００２８】
図４（ｂ）は同プラズマディスプレイ装置の金属部材４０の穴５０周辺の平面図である。また、図４（ｃ）は図４（ｂ）における金属部材４０のＡ−Ａ線に沿った部分断面図である。金属部材４０の穴５０の周辺には、穴５０を中心として、断面がＶ字状の凹部５１がドーナツ状に形成されている。凹部５１はＶ字状の断面を有し、２つの傾斜する面を備えている。穴５０に対して近い方の傾斜する面を傾斜部５５とし、穴５０に対して遠い方の傾斜する面を傾斜部５６として示している。また、凹部５１の最もへこんだ部分を破線で示している。
【００２９】
バックケース部３２の穴３７の周辺には、金属部材４０の凹部５１の傾斜部５５と合わされる位置に２つの突起部５２が約１ｃｍの間隔で形成されている。また突起部５２の先端の高さは、凹部５１の深さと同等かそれ以下に形成されている。そして突起部５２の先端は、傾斜部５５の中央に位置する中央部５８に当接するように形成されている。中央部５８は図４（ｂ）に破線で示されている。バックケース部３２には複数の突起部５２が設けられ、それぞれの突起部５２は傾斜する方向が異なる傾斜部５５に当接されている。そして、ネジ４４の締め付けにより、突起部５２が傾斜部５５の中央部５８から、傾斜部５５に沿って凹部５１の最もへこんだ部分の方向に押さえ込まれる。また、突起部５２の先端は穴５０の中心を通るＡ−Ａ線上で、穴５０の中心に対して対称な傾斜部５５の中央にそれぞれ当接されているので、ねじ締めの圧力が両方の突起部５２に均一にかかるようになる。
【００３０】
そして、図４（ａ）に示すようにネジ４４の締め付けにより生じるＰ１の方向に向かう圧力により、突起部５２は傾斜部５５に沿ってＰ２とＰ３との方向に動き、突起部５２が傾斜部５５の絶縁皮膜を剪断する圧力が生じる。このためねじ締め時に金属部材４０の穴５０とバックケース部３２の穴３７との相対的な位置ずれが生じにくく、絶縁皮膜の剥離を確実に行うことができる。このようにしてネジ４４を締め込むことにより、バックケース部３２の突起部５２の先端と金属部材４０の傾斜部５５とが互いにこすれ合い、突起部５２および傾斜部５５の塗装や亜鉛溶融メッキなどからなる絶縁皮膜が剥がされるので、金属部材４０とバックケース部３２とが絶縁皮膜の剥離された部分で電気的に確実に接続する。２つの突起部５２の間隔は約１ｃｍであり、周波数が１ＧＨｚまでの不要な電磁波の波長に比べて十分小さいので、この間から不要な電磁波は漏れにくく十分抑制される。なお、突起部５２の間隔は数ｃｍ程度まで大きくしても、不要な電磁波は漏れにくい。
【００３１】
また、突起部５２の先端と凹部５１の最もへこんだ部分との距離ｄ２は、凹部５１の傾斜部５５の幅の半分としたが、絶縁皮膜の厚みなどにより適宜選択してよく、絶縁皮膜が剥がされて電気的な接続が確実にできるようになればよい。電気的な接続を確実に行うためにネジ締めを行うだけでよいので、筐体の組み立て時の作業性も良好である。このようにして絶縁皮膜の施された部材でシールドするための筐体を構成する場合にも、不要な電磁波の漏洩を低減することのできるプラズマディスプレイ装置を提供することができる。
【００３２】
なお、ネジ４４を完全に締め付けると、突起部５２が凹部５１に沈み込むので、金属部材４０とバックケース部３２との平坦面が互いに接することになる。このため金属部材４０とバックケース部３２との密着性が良好となり、穴３７の周辺のみならず、隣り合う２つの穴３７の中間部での隙間がなくなる。そのため絶縁皮膜を挟んで金属板が対向している構成により、金属部材４０とバックケース部３２との間には微小な容量が形成される。このため高い周波数の不要な電磁波の漏洩は、金属部材４０とバックケース部３２との間に形成される微小な容量によって低減されるという効果を奏する。このようにして、穴３７の周辺では金属部材４０の傾斜部５５とバックケース部３２の突起部５２とが電気的に確実に接続し、また穴３７が遮断すべき電磁波の最高周波数の波長の半分の間隔でバックケース部３２の周辺に形成されているので、プラズマディスプレイ装置の内部で生じる不要な電磁波が筐体から漏洩することを低減できるとともに組み立て時の作業性もよいという効果が得られる。
【００３３】
なお、本実施の形態においては、突起部５２の先端は、凹部５１の傾斜部５５，５６のうち、Ａ−Ａ線上で、穴５０に対して近い方の傾斜部５５の中央部５８に当接するように形成されているとした。しかし、突起部５２の先端は、凹部５１の傾斜部５５，５６のうち、Ａ−Ａ線上で、穴５０に対して遠い方の傾斜部５６の中央に当接するように形成されていてもよい。このようにしても、ねじ締めの圧力が両方の突起部５２に均一にかかるようになるので、ねじ締め時に金属部材４０の穴５０とバックケース部３２の穴３７との相対的な位置ずれが生じにくい。このためねじ締めによって、突起部５２および傾斜部５６の絶縁皮膜が確実に剥がされ、金属部材４０とバックケース部３２とが絶縁皮膜の剥離された部分で電気的に確実に接続することができるという効果がある。
【００３４】
また、本実施の形態においては、１組の突起部５２の先端が、凹部５１の傾斜部５５，５６のうち、Ａ−Ａ線上で、穴５０に対して近い方の傾斜部５５の中央部５８にそれぞれ当接するように形成されているとした。しかし複数の組の突起部５２の先端を穴５０の中心を通る線上の対称な位置に設け、傾斜部５５の中央にそれぞれ当接するようにしてもよい。このようにすれば接続箇所が増えて、電気的な接続がより確実にできるので、絶縁皮膜の施された部材でシールドするための筐体を構成する場合にも、不要な電磁波の漏洩を低減することのできるプラズマディスプレイ装置を提供することができる。
【００３５】
（第２の実施の形態）
図５（ａ）は本発明の第２の実施の形態におけるプラズマディスプレイ装置の取り付け部４５の周辺の詳細を示す断面図である。図５（ｂ）は同プラズマディスプレイ装置の金属部材４０の穴５０周辺の平面図である。図５（ｃ）は図５（ｂ）における金属部材４０のＢ−Ｂ線に沿った部分断面図である。本発明の第１の実施の形態と同様な構成については同じ符号を付しており、同様な部分については説明を省略する。
【００３６】
本実施の形態における特徴は、金属部材４０の穴５０の周辺に、断面がすり鉢状の凹部５９を２組設けたことである。２組の凹部５９は、穴５０の中心に対して、それぞれ対称な位置に形成されている。そして、バックケース部３２の穴３７の周辺には、金属部材４０の凹部５９の傾斜部と合わされる位置に２組の突起部５２が形成されている。また、突起部５２の先端は、穴５０に対して近い方の傾斜部の中央部６０に当接するように形成されている。中央部６０は図５（ｂ）に破線で示されている。
【００３７】
そしてネジ４４の締め付けにより、突起部５２が傾斜部の中央部６０から、傾斜部に沿って凹部５９の最もへこんだ部分の方向に押さえ込まれる。また、突起部５２の先端は穴５０の中心を通るＢ−Ｂ線上で、穴５０の中心に対して対称な傾斜部の中央にそれぞれ当接されているので、ねじ締めの圧力が両方の突起部５２に均一にかかるようになる。そして、図５（ａ）に示すようにネジ４４の締め付けにより生じるＰ１の方向に向かう圧力により、突起部５２は傾斜部に沿ってＰ２とＰ３との方向に動き、突起部５２が傾斜部の絶縁皮膜を剪断する圧力が生じる。このためねじ締め時に金属部材４０の穴５０とバックケース部３２の穴３７との相対的な位置ずれが生じにくく、絶縁皮膜の剥離を確実に行うことができる。このようにしてネジ４４を締め込むことにより、バックケース部３２の突起部５２の先端と金属部材４０の傾斜部とが互いにこすれ合い、突起部５２および傾斜部の塗装や亜鉛溶融メッキなどからなる絶縁皮膜が剥がされるので、金属部材４０とバックケース部３２とが絶縁皮膜の剥離された部分で電気的に確実に接続する。このようにして絶縁皮膜の施された部材でシールドするための筐体を構成する場合にも、不要な電磁波の漏洩を低減することのできるプラズマディスプレイ装置を提供することができる。
【００３８】
また、本実施の形態では、金属部材４０の穴５０の周辺に、断面がすり鉢状の凹部５９を２組み設け、その傾斜部と合わされる位置に２組の突起部５２を形成したが、特に２組に限るものではない。しかし複数組の凹部５９と突起部５２とを設けたほうが、金属部材４０とバックケース部３２との電気的な接続をより確実にできるという効果がある。また、１組として、隣り合う穴３７を結ぶ方向に沿って、断面がすり鉢状の凹部５９と突起部とを設ければ、バックケース部３２の外周部のねじ止めに必要な幅を狭くでき、より小型化できるという利点がある。なお、突起部５２の先端は、穴５０に対して遠い方の傾斜部の中央部に当接するように形成されていてもよい。
【００３９】
また、本実施の形態においては、遮断すべき電磁波の最高周波数での波長の半分の間隔に穴３７を形成した。しかし、突起部５２が絶縁皮膜を剥がすことができる圧力をバックケース部３２と金属部材４０とに加えることができれば電気的な接続を確保できるので、取り付け部４５は圧接器具やかしめなどに取り替えてもよい。また、バックケース部３２に圧力をかけて金属部材４０に取り付けるために、金属部材４０に挟み込む構造を有してもよい。それによってバックケース部３２と金属部材４０とが電気的に確実に接続されることになり、電磁波のシールド効果を保つことができる。
【００４０】
なお、本実施の形態では、バックケース部３２には金属部材４０に対向する面に突起部５２が形成され、金属部材４０には突起部５２に当接するように傾斜部が形成されているとした。しかし、金属部材４０にはバックケース部３２に対向する面に突起部５２が形成され、バックケース部３２には突起部５２に当接するように傾斜部が形成されていてもよい。このようにしても、ねじ締めにより金属部材４０の突起部５２の先端とバックケース部３２の傾斜部とが互いにこすれ合うことにより、突起部５２および傾斜部の塗装や亜鉛溶融メッキなどからなる絶縁皮膜が剥がされるので、金属部材４０とバックケース部３２とが絶縁皮膜の剥離された部分で電気的に確実に接続する。このようにして絶縁皮膜の施された部材でシールドするための筐体を構成する場合にも、不要な電磁波の漏洩を低減することのできるプラズマディスプレイ装置を提供することができる。
【００４１】
（第３の実施の形態）
図６は本発明の第３の実施の形態におけるプラズマディスプレイ装置の取り付け部４５の周辺の詳細を示す断面図である。本発明の第２の実施の形態と同様な構成については同じ符号を付しており、同様な部分については説明を省略する。
【００４２】
本実施の形態における特徴は、バックケース部３２の穴３７の周辺に、金属部材４０の凹部５９の傾斜部と合わされる位置に突起部７０が形成され、突起部７０の先端には穴７１が形成されていることである。
【００４３】
このように突起部７０の先端に穴７１が形成されているため、凹部５９の傾斜部に当接されている突起部７０の先端には鋭い角度のエッジが形成されている。このためネジ４４の締め付けにより生じるＰ１の方向に向かう圧力により、突起部７０は傾斜部に沿ってＰ２とＰ３との方向に動き、突起部５２が傾斜部の絶縁皮膜を剪断する圧力が生じる。このためねじ締め時に金属部材４０の穴５０とバックケース部３２の穴３７との相対的な位置ずれが生じにくく、絶縁皮膜の剥離を確実に行うことができる。また突起部７０の先端に穴が形成されているために、穴の内面や傾斜部に当接される先端のエッジは絶縁皮膜が予め剥がされているので、金属部材４０とバックケース部３２とが絶縁皮膜の剥離された部分で電気的に確実に接続する。このようにして絶縁皮膜の施された部材でシールドするための筐体を構成する場合にも、不要な電磁波の漏洩を低減することのできるプラズマディスプレイ装置を提供することができる。
【産業上の利用可能性】
【００４４】
本発明のプラズマディスプレイ装置は、不要な電磁波の漏洩を低減するとともに、組み立て時の作業性がよいので、映像情報機器などのシールドケースに有用である。
【図面の簡単な説明】
【００４５】
【図１】本発明の第１の実施の形態におけるプラズマディスプレイ装置のパネルの分解斜視図
【図２】同プラズマディスプレイ装置の筐体の構成を示す分解斜視図
【図３】同プラズマディスプレイ装置の筐体の構成を示す要部断面図
【図４】（ａ）は同プラズマディスプレイ装置の取り付け部の周辺の詳細を示す断面図、（ｂ）は同金属部材の穴の周辺の平面図、（ｃ）は同金属部材のＡ−Ｂ線に沿った部分断面図
【図５】（ａ）は本発明の第２の実施の形態におけるプラズマディスプレイ装置の取り付け部の周辺の詳細を示す断面図、（ｂ）は同金属部材の穴の周辺の平面図、（ｃ）は同金属部材のＡ−Ｂ線に沿った部分断面図
【図６】本発明の第３の実施の形態におけるプラズマディスプレイ装置の取り付け部の周辺の詳細を示す断面図
【符号の説明】
【００４６】
１    パネル
２    前面基板
３    背面基板
６    誘電体層
７    保護層
８    隔壁
９    蛍光体層
１０    下地誘電体層
１１    データ電極
１２，１４    透明電極
１３，１５    バス電極
１６    走査電極
１７    維持電極
１８    表示電極対
１９    画像表示領域
３０    フロントケース部
３１    シャーシ部材
３２    バックケース部
３３    電磁波遮断フィルタ
３５    熱伝導シート
３６    回路基板
３７，５０，７１    穴
４０    金属部材
４１    板バネ構造部
４２，４３    ボス部
４４    ネジ
４５    取り付け部
５１，５９    凹部
５２，７０    突起部
５５，５６    傾斜部
【図１】
2007187878.tif 000003
【図２】
2007187878.tif 000004
【図３】
2007187878.tif 000005
【図４】
2007187878.tif 000006
【図５】
2007187878.tif 000007
【図６】
2007187878.tif 000008